(57)【要約】      （修正有）【課題】使い易さを向上できる電動家具を提供する。【解決手段】第１操作受付部２０または第２操作受付部２５が制御操作を受け付けると可動部７０が動く。または検出部により検出された使用者の状態に基づいて、可動部が動く。検出部が荷重センサ付きの複数のアクチュエータである場合、複数の荷重センサのそれぞれに加わる荷重から、使用者が、起き上がり、端座位、離床、入眠、睡眠、覚醒などのいずれかの状態であることが判断できる。【選択図】図１
2018187022.tif 000002
【特許請求の範囲】
【請求項１】
被制御部と、
使用者の状態を検出する検出部と、
前記検出部により検出された前記使用者の前記状態に基づいて前記被制御部を制御する制御部と、
を備えた電動家具。
【請求項２】
前記被制御部は、可動部を含み、
前記制御部は、前記検出部により検出された前記使用者の前記状態に基づいて前記可動部を動かす可動部制御を行う、請求項１記載の電動家具。
【請求項３】
前記可動部は、高さ変更部を含み、
前記制御部は、前記使用者の前記状態が睡眠状態であるときに、前記高さ変更部の高さを下げる、請求項２記載の電動家具。
【請求項４】
前記可動部は、高さ変更部を含み、
前記制御部は、前記使用者の前記状態が端座位であるときに、前記高さ変更部の高さを端座位高さに調整する、請求項２記載の電動家具。
【請求項５】
前記可動部と床との間の空間に存在する物体を検知する床部検知器と、
をさらに備え、
前記床部検知器が前記可動部と前記床との間の前記空間の前記物体を検知したときは、前記制御部は、前記可動部制御を実施しない、請求項２〜４のいずれか１つに記載の電動家具。
【請求項６】
前記可動部は、背ボトムを含み、
前記制御部は、前記使用者の前記状態が入眠であるときに、前記背ボトムを傾斜させ、
前記制御部は、前記使用者の前記状態が前記入眠の後の睡眠であるときに、前記背ボトムを水平に向かって変化させる、請求項２〜５のいずれか１つに記載の電動家具。
【請求項７】
前記背ボトムの傾斜の角度は４度以上２４度未満であり、
前記制御部は、前記使用者の前記状態が前記入眠の後の前記睡眠であるときに、前記背ボトムの角度を４度未満にする、請求項６記載の電動家具。
【請求項８】
前記可動部は、背ボトムを含み、
前記制御部は、前記使用者の前記状態が起き上がりのときに、前記背ボトムの角度を大きくする、請求項２〜５のいずれか１つに記載の電動家具。
【請求項９】
フレームと、
前記フレームと前記可動部との間の空間に存在する物体を検知するフレーム部検知器と、
さらに備え、
前記フレーム部検知器が前記フレームと前記可動部との間の前記空間の前記物体を検知したときは、前記制御部は、前記可動部制御を実施しない、請求項２〜８のいずれか１つに記載の電動家具。
【請求項１０】
前記使用者の身体の位置を検出する身体検知器をさらに備え、
前記身体検知器が前記身体の少なくとも一部が前記電動家具と重なることを検知したときは、前記制御部は、前記可動部制御を実施しない、請求項２〜９のいずれか１つに記載の電動家具。
【請求項１１】
操作受付部を含む制御装置をさらに備え、
前記可動部は、前記操作受付部が受け付けた制御操作に応じて動き、
前記検出部により検出された前記使用者の前記状態に基づいて前記可動部が動くときの速度は、前記操作受付部が受け付けた前記制御操作に応じて前記可動部が動くときの速度とは異なる、請求項２〜１０のいずれか１つに記載の電動家具。
【請求項１２】
前記使用者の前記状態に関する使用者状態情報と、前記使用者状態情報に対応する前記可動部の状態に関する可動部情報と、を記憶する記憶部をさらに備え、
前記制御部は、前記記憶部に記憶された可動部情報に基づいて前記可動部を動かす、請求項２〜１１のいずれか１つに記載の電動家具。
【請求項１３】
前記記憶部に記憶された前記可動部情報は、初期化設定可能である、請求項１２記載の電動家具。
【発明の詳細な説明】
【技術分野】
【０００１】
本発明の実施形態は、電動家具に関する。
【背景技術】
【０００２】
例えば、高さや背もたれの角度を変更可能な電動家具（例えば、電動ベッドまたは電動椅子など）がある。これらの電動家具は、手元スイッチなどの制御装置（例えばリモートコントローラ：リモコン）により操作される。このような制御装置において、使い易さの向上が望まれる。
【先行技術文献】
【特許文献】
【０００３】
【特許文献１】特開平１１−２３５３６３号公報
【発明の概要】
【発明が解決しようとする課題】
【０００４】
本発明の実施形態は、使い易さを向上できる電動家具を提供する。
【課題を解決するための手段】
【０００５】
実施形態によれば、電動家具は、被制御部、検出部及び制御部を含む。前記検出部は、使用者の状態を検出する。前記制御部は、前記検出部により検出された前記使用者の前記状態に基づいて前記被制御部を制御する。
【発明の効果】
【０００６】
本発明の実施形態は、使い易さを向上できる電動家具を提供できる。
【図面の簡単な説明】
【０００７】
【図１】図１（ａ）〜図１（ｃ）は、第１実施形態に係る電動家具を例示する模式的斜視図である。
【図２】図２（ａ）〜図２（ｅ）は、第１実施形態に係る電動家具の制御を例示する模式図である。
【図３】図３は、第１実施形態に係る電動家具を例示するブロック図である。
【図４】図４（ａ）〜図４（ｄ）は、第１実施形態に係る電動家具の状態を例示する模式図である。
【図５】図５は、第１実施形態に係る電動家具を例示する模式的斜視図である。
【図６】図６は、第１実施形態に係る電動家具を例示する模式的斜視図である。
【図７】図７は、第２実施形態に係る電動家具を例示する模式的斜視図である。
【図８】図８（ａ）及び図８（ｂ）は、第２実施形態に係る電動家具を例示する模式図である。
【図９】図９（ａ）〜図９（ｄ）は、第２実施形態に係る別の電動家具を例示する模式図である。
【図１０】図１０は、第３実施形態に係る電動家具を例示する模式的斜視図である。
【発明を実施するための形態】
【０００８】
以下に、本発明の実施形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００９】
（第１実施形態）  
図１（ａ）〜図１（ｃ）は、第１実施形態に係る電動家具を例示する模式的斜視図である。  
図１（ａ）に示すように、第１実施形態に係る電動家具３１０は、被制御部７０Ｃを含む。被制御部７０Ｃは、例えば、可動部７０を含む。被制御部７０Ｃは、可動部７０、照明部７３ａ及び温度制御部７３ｂ（例えばヒータなど）の少なくともいずれかを含んでも良い。この例では、電動家具３１０には、制御装置１６０が設けられている。制御装置１６０は、電動家具３１０の可動部７０を制御することができる。制御装置１６０は、例えば、電動家具３１０のリモートコントローラ（リモコン）である。制御装置１６０は、例えば、手元スイッチである。制御装置１６０は、照明の入り切り機能、看護者または介護者の呼び出し機能、または、電源の入り切り機能などの種々の機能を有しても良い。
【００１０】
電動家具３１０は、例えば、病院、介護施設、または、家庭などで使用される。
【００１１】
この例では、電動家具３１０は、電動ベッドである。電動ベッドは、可動部７０を有する。可動部７０は、例えば、背ボトム７０ａ、膝ボトム７０ｂ、脚ボトム７０ｃ及び高さ変更部７０ｄ（例えばベッド昇降機）などを含む。背ボトム７０ａ、膝ボトム７０ｂ及び脚ボトム７０ｃにおいて、互いの角度は変更可能である。背ボトム７０ａの動作により、使用者の背の角度が変更可能である。膝ボトム７０ｂと脚ボトム７０ｃとの間の角度の変更により、膝の角度が変更可能である。これらの角度は、連動して変化しても良い。高さ変更部７０ｄは、例えば、床面とベッド面との間の距離（高さ）を変更可能である。高さ変更部７０ｄは、ベッドの頭側の高さと、ベッドの足側の高さと、独立して変更できても良い。これにより、ベッド面の全体の傾斜が変更できる。これらの可動部７０には、例えばアクチュエータなどが用いられる。可動部７０の動作により、「背上げ」、「膝上げ」、「高さ調整」及び「傾斜」などの少なくともいずれかが可能である。「傾斜」は、ローリング及びチルトの少なくともいずれかを含む。
【００１２】
制御装置１６０は、上記の可動部７０と電気的に接続される。制御装置１６０と可動部７０との間に、制御回路が設けられても良い。このように、間に他の回路が設けられる場合も、電気的に接続される状態に含まれる。
【００１３】
図１（ａ）に示すように、制御装置１６０は、ケーブル１５により、電動家具３１０と接続される。制御装置１６０は、無線通信により、電動家具３１０と接続されても良い。制御装置１６０は、操作部１０を含む。
【００１４】
図１（ｂ）及び図１（ｃ）に示すように、制御装置１６０（操作部１０）は、第１面１０ａ及び第２面１０ｂを有する。第２面１０ｂは、第１面１０ａと反対側の面である。第１面１０ａは、例えば、表側の面である。第２面１０ｂは、例えば、裏面である。第１面１０ａは、例えば、操作面である。
【００１５】
制御装置１６０は、第１操作受付部２０（例えば複数の操作ボタン）と、第２操作受付部２５（例えばメモリーボタン）と、スイッチ５０と、を含む。
【００１６】
第１操作受付部２０（例えば複数の操作ボタン）及び第２操作受付部２５（例えばメモリーボタン）は、第１面１０ａに設けられる。スイッチ５０は、例えば、第１面１０ａ以外の部分に設けられる。この例では、スイッチ５０は、第２面１０ｂに設けられている。スイッチ５０は、制御装置１６０の筐体の側面に設けられても良い。
【００１７】
第１操作受付部２０、及び、第２操作受付部２５には、例えば、機械的な接点を有するスイッチ（例えばボタン）が用いられる。第１操作受付部２０、及び、第２操作受付部２５には、この他、静電式または光学式などの任意の入力装置（例えばタッチスイッチなど）が用いられても良い。
【００１８】
第１操作受付部２０（例えば、複数の操作ボタン）及び第２操作受付部２５（例えばメモリーボタン）は、電動家具３１０の可動部７０の動作を制御する制御操作を受け付け可能である。
【００１９】
第１操作受付部２０及び第２操作受付部２５が受け付けた制御操作に基づいて、可動部７０が制御される。第１操作受付部２０が操作されることで、可動部７０が操作される。第２操作受付部２５が操作されることで、可動部７０は、記憶された状態になる。記憶された状態は、例えば、記憶部４８（図１（ａ）参照）に記憶されている。
【００２０】
この例では、第１操作受付部２０（例えば複数の操作ボタン）は、「連動」に関する上昇のボタン２１ａ、「連動」に関する下降のボタン２１ｂ、「頭」に関する上昇のボタン２２ａ、「頭」に関する下降のボタン２２ｂ、「足」に関する上昇のボタン２３ａ、「足」に関する下降のボタン２３ｂ、「高さ」に関する上昇降のボタン２４ａ、及び、「高さ」に関する下降のボタン２４ｂなどを含む。
【００２１】
例えば、「頭」に関する上昇のボタン２２ａが押されると、背ボトム７０ａの角度が大きくなる。例えば、「頭」に関する下降のボタン２２ｂが押されると、背ボトム７０ａの角度が小さくなる。例えば、「足」に関する上昇のボタン２３ａが押されると、膝ボトム７０ｂ及び脚ボトム７０ｃの角度が大きくなる。例えば、「足」に関する下降のボタン２３ｂが押されると、膝ボトム７０ｂ及び脚ボトム７０ｃの角度が小さくなる。これらの角度は、例えば、水平面からの角度である。例えば、「高さ」に関する上昇のボタン２４ａが押されると、ベッド面が高くなる。例えば、「高さ」に関する下降のボタン２４ｂが押されると、ベッド面が低くなる。例えば、「連動」に関する上昇のボタン２１ａが押されると、「頭」及び「足」が連動して変化する。例えば、「連動」に関する下降のボタン２１ｂが押されると、「頭」及び「足」が連動して変化する。これらの変化は、可動部７０の動作により行われる。例えば、第１操作受付部２０が操作を受け続けている期間（例えば操作ボタンを押し続けている期間）に、上記の動作が行われる。これにより、安全な動作が得られる。
【００２２】
この例では、第２操作受付部２５として、複数のボタン（第１メモリーポジションに関するボタン２５ａ、及び、第２メモリーポジションに関するボタン２５ｂなど）が設けられている。第２操作受付部２５となる複数のボタンの数は、３以上でも良い。
【００２３】
ボタン２５ａが押されると、第１メモリーポジションが形成される。ボタン２５ｂが押されると、第２メモリーポジションが形成される。第１メモリーポジションは、背ボトム７０ａ、膝ボトム７０ｂ、脚ボトム７０ｃ及び高さ変更部７０ｄのそれぞれの状態の組み合わせの１つの状態に対応する。第２メモリーポジションは、背ボトム７０ａ、膝ボトム７０ｂ、脚ボトム７０ｃ及び高さ変更部７０ｄのそれぞれの状態の組み合わせの別の１つの状態に対応する。
【００２４】
第２操作受付部２５（ボタン２５ａ及びボタン２５ｂ）により、所望の姿勢が形成できる。この所望の姿勢は、記憶部４８に記憶されている。さらに、所望の姿勢に至るまでの可動部７０の動きの順番も記憶されていても良い。記憶された順番に従って、可動部７０が動く。
【００２５】
第２操作受付部２５（例えばメモリーボタン）による可動部７０の制御は、第１操作受付部２０（例えば複数の操作ボタン）よる可動部７０の制御よりも簡単である。第２操作受付部２５（例えばメモリーボタン）により、使い易さが向上する。
【００２６】
第２操作受付部２５（例えばメモリーボタン）は、例えば、電動家具３１０の使用者により操作されるのに適している。さらに、第２操作受付部２５は、電動家具３１０の使用者の介護者（看護師など）により、操作されても良い。
【００２７】
一方、複数の第１操作受付部２０（例えば複数の操作ボタン）の少なくとも一部は、複数の可動部７０のそれぞれを個別に独立して制御することができる。これにより、所望の状態が、細かく制御できる。従って、複数の第１操作受付部２０は、介護者（看護師など）により操作されるのに適している。
【００２８】
第２操作受付部２５（例えばメモリーボタン）を設けることで、電動家具３１０（例えば電動ベッド）の使用者に、可動部７０をより積極的に動かすことを促すことができる。第１操作受付部２０に加えて、第２操作受付部２５を設けることで、例えば、使用者と、使用者の介護者と、の両方において、より使い易くなる。
【００２９】
可動部７０の状態の記憶部４８への記憶は、自動的に行われても良い。または、可動部７０の状態の記憶部４８への記憶は、手動で行われても良い。可動部７０の状態を手動で記憶する際などに、例えば、スイッチ５０が用いられる。
【００３０】
例えば、制御装置１６０において、操作モードと記憶モードが設けられても良い。スイッチ５０の操作により、これらのモードが切り替えられても良い。例えば、操作モードにおいて、第１操作受付部２０及び第２操作受付部２５を操作することで、可動部７０が操作される。スイッチ５０を操作することで、記憶モードに移行することができる。この記憶モードにおいて第１操作受付部２０を操作することで、可動部７０が所望の状態となる。例えば、この状態で、第２操作受付部２５（ボタン２５ａまたはボタン２５ｂ）を押すことで、そのときの可動部７０の状態が、記憶部４８に記憶される。スイッチ５０を再度押すことで、操作モードに戻る。操作モードにおいて、第２操作受付部２５を操作することで、記憶された可動部７０の状態が形成される。このように、実施形態において、スイッチ５０を用いて、可動部７０の状態が記憶されても良い。
【００３１】
スイッチ５０は、上記のようなモードの切り替えの他、任意の制御に用いられても良い。スイッチ５０としては、例えば、ハードウエアスイッチ、または、ソフトウエア制御されるスイッチなどを用いることができる。
【００３２】
一方、可動部７０の状態の記憶部４８への記憶が自動的に行われる場合は、例えば、検出部（後述）により、電動家具３１０の使用者の状態が検出される。検出部は、電動家具３１０内に設けられても良く、電動家具３１０とは別に設けられても良い。そして、検出された使用者の状態が所定の状態かどうかが判断（推定）される。所定の状態は、例えば、起き上がり、端座位（例えば離床準備状態）、離床、入眠、睡眠、または覚醒（ただしベッド７０上に横たわっている）などである。使用者の状態が所定の状態であると判断（推定）されたときに、そのときの可動部７０の状態が、記憶部４８に記憶される。このとき、第２操作受付部２５（例えばメモリーボタン）が操作を受け付けると（例えばメモリーボタンが押されると）、記憶部４８に自動的に記憶された可動部７０の状態が形成される。
【００３３】
実施形態においては、検出部により検出された使用者の状態に基づいて可動部７０が自動的に（手動ではなく）動く。
【００３４】
例えば、上記のように、第１操作受付部２０または第２操作受付部２５が制御操作を受け付けると可動部７０が動く。これは、手動動作である。実施形態においては、第１操作受付部２０または第２操作受付部２５が制御操作を受け付けなくても、検出部により検出された使用者の状態に基づいて、可動部７０が動く。すなわち、電動家具３１０に制御部４２（図１（ａ）参照）が設けられる。制御部４２は、検出部により検出された使用者の状態に基づいて被制御部７０Ｃ（この例では、可動部７０）を制御する。すなわち、制御部４２は、検出部により検出された使用者の状態に基づいて可動部７０を動かす「可動部制御」が可能である。これにより、操作がより簡単になる。使い易さを向上できる電動家具が提供できる。
【００３５】
実施形態における可動部７０の上記の自動的な動作は、自動モードである。例えば、スイッチ５０により、上記の操作モード及び記憶モードの他に、この自動モードの実行が可能でも良い。例えば、使用者の健康状態などに応じて、自動モードの実施と不実施とが切り替えられても良い。自動モードの例については、後述する。
【００３６】
記憶部４８として、例えば、半導体記憶装置、磁気記憶装置または光学記憶装置などの任意の記憶装置を用いることができる。記憶部４８は、電動家具３１０が設けられる場所とは異なる場所に設けられても良い。例えば、電動家具３１０（制御装置１６０を含む）と通信可能なサーバに設けられる記憶装置を、記憶部４８として用いても良い。
【００３７】
記憶部４８は、例えば、制御部４２（例えばコンピュータ）を介して、制御装置１６０と接続される。制御部４２は、制御装置１６０に設けられても良く。制御装置１６０とは別に設けられても良い。
【００３８】
図１（ｂ）に示すように、第１面１０ａに表示領域２８が設けられても良い。表示領域２８は、例えば、電動家具３１０の可動部７０に関する情報（ボトムの角度や高さなど）を表示可能である。表示領域２８は、第１操作受付部２０（複数の操作ボタン）及び第２操作受付部２５の、機能または動作状態に関する情報を表示しても良い。
【００３９】
以下、第１操作受付部２０（例えば操作ボタン）による可動部７０の制御の例について説明する。
【００４０】
図２（ａ）〜図２（ｅ）は、第１実施形態に係る電動家具の制御を例示する模式図である。  
図２（ａ）に示すように、「頭」に関するボタン２２ａまたはボタン２２ｂが操作されると、背ボトム７０ａの角度が変化し、「背上げ動作」、または、「背下げ動作」が行われる。
【００４１】
図２（ｂ）に示すように、「足」に関するボタン２３ａまたはボタン２３ｂが操作されると、膝ボトム７０ｂ及び脚ボトム７０ｃの角度が変化し、「膝上げ動作」、または、「膝下げ動作」が行われる。
【００４２】
図２（ｃ）に示すように、「高さ」に関するボタン２４ａ及びボタン２４ｂが操作されると、高さ変更部７０ｄの動きが制御される。これにより、高さ調整が行われる。すなわち、ベッド面の高さＨ１が変更される。
【００４３】
図２（ｄ）に示すように、「連動」に関するボタン２１ａ及びボタン２１ｂが操作されると、背ボトム７０ａ、膝ボトム７０ｂ及び脚ボトム７０ｃのそれぞれの角度が連動して変化する。高さＨ１が連動して変化しても良い。
【００４４】
図２（ｅ）に示すように、頭ボトム７０ｈがさらに設けられても良い。頭ボトム７０ｈの動作により、頭の角度が変更可能である。
【００４５】
一方、第２操作受付部２５が操作を受けると（例えば、ボタン２５ａまたはボタン２５ｂが操作されると）、第１メモリーポジション（第１姿勢）が形成される。この第１メモリーポジションは、背ボトム７０ａ、膝ボトム７０ｂ、脚ボトム７０ｃ及び高さ変更部７０ｄのそれぞれの状態の１つの組み合わせである。例えば、第２操作受付部２５が操作を受けると、背ボトム７０ａ、膝ボトム７０ｂ、脚ボトム７０ｃ及び高さ変更部７０ｄが、記憶された順番に従って動いても良い。第２操作受付部２５（ボタン２５ａまたはボタン２５ｂ）の操作により、頭ボトム７０ｈがさらに制御されても良い。この場合も、頭ボトム７０ｈの動きの順番が記憶されても良い。
【００４６】
例えば、「背上げ」、「膝上げ」、及び「高さ調整」及び「傾斜」などの少なくともいずれかに関する状態、及び、動作の順番に関する情報が記憶される。例えば、その記憶に基づいて、「背上げ」、「膝上げ」、及び「高さ調整」及び「傾斜」などの少なくともいずれかに関して、可動部７０が制御される。「傾斜」は、ローリング及びチルトの少なくともいずれかを含む。
【００４７】
図２（ａ）〜図２（ｅ）に示すように、電動家具３１０に駆動部７２（例えばアクチュエータ）が設けられる。駆動部７２の動作により可動部７０が動く。
【００４８】
この例では、駆動部７２は、荷重センサを含む。荷重センサ（駆動部７２）に加わる荷重により、電動家具３１０の使用者の状態を検出することができる。例えば、電動家具３１０の上半身に対応する部分（例えば、背ボトム７０ａ）に加わる荷重、及び、下半身に対応する部分（例えば、膝ボトム７０ｂ及び脚ボトム７０ｃ）に加わる荷重などに基づいて、使用者が、起き上がり、端座位、離床、入眠、睡眠、または覚醒などのそれぞれの状態であることが推定できる。
【００４９】
この例は、可動部７０を駆動する駆動部７２に、検出部６０が設けられていることに対応する。このように、検出部６０は、駆動部７２に含まれても良い。
【００５０】
図３は、第１実施形態に係る電動家具を例示するブロック図である。  
図３に示すように、制御装置１６０に、上記の第１操作受付部２０及び第２操作受付部２５が設けられる。第１操作受付部２０及び第２操作受付部２５は、制御部４２と接続される。記憶部４８及び駆動部７２が、制御部４２と接続される。可動部７０は、駆動部７２により駆動される。既に説明したように、駆動部７２（例えばアクチュエータ）が荷重センサを含む場合、駆動部７２の少なくとも一部が検出部６０と見なされる。後述するように、検出部６０は、駆動部７２とは別に設けられても良い。
【００５１】
例えば、電動家具３１０の使用者またはその介護者が第１操作受付部２０を操作する。第１操作受付部２０が受け付けた操作に対応した信号が、制御部４２を介して、駆動部７２に供給される。信号を受けた駆動部７２が可動部７０を駆動することで、可動部７０が動く。
【００５２】
記憶部４８に、使用者状態情報及び可動部情報が記憶されている。使用者状態情報は、使用者の状態に関する情報（例えばデータベース）である。可動部情報は、可動部の状態に関する情報（例えばデータベース）である。可動部情報は、使用者状態情報に対応づけられている。例えば、１つの使用者状態情報に対応して、１つの可動部情報（可動部７０の１つの状態に関する方向）が記憶されている。
【００５３】
制御部４２は、必要に応じて、記憶部４８に記憶されている情報を取り出して処理を行う。例えば、使用者の状態の判断（推定）は、記憶部４８に記憶されている使用者状態情報を用いて行われる。使用者の状態が特定の状態であると判断（推定）されたときの、可動部７０の制御（「可動部制御」）は、記憶部４８に記憶されている可動部情報に基づいて行われる。既に説明したように、可動部情報は、例えば、手動または自動で記憶部４８に記憶される。
【００５４】
一方、例えば、検出部６０（この例では駆動部７２）により、使用者の状態が検出される。検出部６０で検出された使用者の状態に対応する信号が、制御部４２に供給される。検出された使用者の状態が、所定の状態であるかどうかが、制御部４２で判断（推定）される。例えば、検出部６０で検出された使用者の状態が所定の状態である場合、制御部４２は、記憶部４８に記憶された可動部情報に基づいて可動部７０を動かす。例えば、使用者の状態が所定の状態（例えば、睡眠など）であると判断されると、可動部７０が睡眠に適した状態に向けて動く。
【００５５】
例えば、使用者の状態が睡眠である場合、ベッド面が高いと使用者がベッド面から落下すると危険である。使用者の状態が睡眠である場合に、ベッド面を低くすることで、使用者はより安全になる。
【００５６】
例えば、多くの患者（または非介護者）を収容している病院などの施設がある。このような施設において、睡眠時の安全を確保するためにベッド面を低くする作業を、看護師または介護者が行うと、非常に大きな労力となる。
【００５７】
実施形態においては、例えば、使用者の状態が睡眠であるときに、それを判断して、ベッド面が自動で低くなる。これにより、看護師または介護者の負担が軽減する。
【００５８】
実施形態において判断される使用者の状態の例については、後述する。
【００５９】
図３に例示したブロック図は、機能ブロックを例示している。複数の機能が１つの回路で実施されても良い。例えば、制御部４２の少なくとも一部機能が、検出部６０で実施されても良い。
【００６０】
使用者の状態の検出は、検出部６０で行われる。検出された状態が所定の状態であるかどうかの判断（推定）は、例えば、制御部４２で行われる。検出された状態が所定の状態であるかどうかの判断（推定）の少なくとも一部は、検出部６０及び記憶部４８の少なくとも一部で行われても良い。
【００６１】
検出部６０（例えば、駆動部７２である荷重センサ付きアクチュエータ）により、使用者の状態が検出される。そして、検出結果が特定の状態かどうかが判断される。
【００６２】
電動家具３１０が、電動ベッドの場合、この特定の状態は、例えば、起き上がり、端座位、離床、入眠、睡眠、及び覚醒などの１つである。例えば、検出部６０が、荷重センサ付きの複数のアクチュエータである場合、複数の荷重センサのそれぞれに加わる荷重から、使用者が、起き上がり、端座位、離床、入眠、睡眠、覚醒などのいずれかの状態であることが判断（推定）できる。
【００６３】
例えば、加重の変化（減少量）を基に、端座位または離床が判別される。例えば、電動ベッドの上半身に対応する部分における荷重と、下半身に対応する部分における荷重と、の差などから、「起き上がり」であると、推定できる。電動ベッドの側方の一部の荷重が局部的に大きい場合は、端座位であると推定される。電動ベッドのいずれの場所においても荷重が小さい場合は、離床であると推定される。複数の荷重センサに比較的同じような荷重が加わる場合は、入眠または睡眠であると推定できる。後述するように、検出部６０として、各種の構成（例えば生体信号などの検出器など）を用いることができ、これにより、使用者における種々の状態が推定できる。
【００６４】
このように、使用者の状態は、複数の状態に分類されて判断（推定）されても良い。状態の分類の数は、例えば、ｎ（ｎは２以上の整数）である。例えば、検出部６０で検出された使用者の状態が、第１〜第ｎ使用者状態であるかどうかが判断（推定）される。第１〜第ｎ使用者状態のそれぞれは、例えば、起き上がり、端座位、離床、入眠、睡眠及び覚醒などのいずれかである。
【００６５】
例えば、使用者の状態が起き上がりであると判断された場合、背ボトム７０ａは、起き上がりに適した所定の角度となる。例えば、使用者の状態が離床であると判断（推定）された場合は、高さ変更部７０ｄは、離床に適した所定の高さとなる。例えば、使用者の状態が睡眠であると判断（推定）された場合には、例えば、高さ変更部７０ｄは、ベッド面から使用者が落ちても安全な低さとなる。使用者の状態が端座位の場合は、例えば、高さ変更部７０ｄは、立ち上がりに適した所定の高さとなる。このような可動部７０の制御は、制御部４２の制御により駆動部７２が制御されて行われる。
【００６６】
実施形態において、使用者の状態は、起き上がり、端座位、離床、入眠、睡眠、及び覚醒などの他、任意の状態でも良い。
【００６７】
実施形態において、記憶部４８に記憶された可動部状態の少なくとも一部は、初期化（初期値に設定）可能でも良い。記憶されたデータは、一括または個別に初期化されても良い。例えば、第２操作受付部２５の操作により形成される可動部７０の状態が記憶部４８に記憶される場合、この記憶が、一括または個別に初期化されても良い。
【００６８】
以下、記憶部４８に記憶された可動部７０の状態に基づいて形成される、可動部７０の状態（すなわち、電動家具３１０の状態）のいくつかの例について説明する。
【００６９】
図４（ａ）〜図４（ｄ）は、第１実施形態に係る電動家具の状態を例示する模式図である。  
これらは、電動家具３１０が電動ベッドであるときの例である。  
図４（ａ）に示す例では、ベッド面の高さが低い。例えば、特に、高齢者などが使用者である場合において、使用者の状態が入眠（または睡眠）であるときにベッド面が高いと、使用者が寝ている間にベッドから落ちると危険である。ベッド面を低くすることで、より安全になる。使用者状態が睡眠であるときに、可動部７０（高さ変更部７０ｄ）は、ベッド面が低いこのような状態となる。このように、制御部４２は、使用者の状態が睡眠状態であるときに、高さ変更部７０ｄの高さを下げる。ベッド面の高さは、例えば、制御可能な最低の高さとされる。
【００７０】
使用者の状態が端座位であるとき、使用者は立ち上がろうとしている場合がある。このような場合に、可動部７０（高さ変更部７０ｄ）の動きにより、ベッド面は、特定の高さ（端座位高さ）となる。端座位高さは、制御可能な最低の高さよりも高い。使用者の体格などに応じて端座位高さが調整可能でも良い。例えば、記憶部モードとした上で第１操作受付部２０が操作されて適切な高さが調整され、その高さが端座位高さとして、記憶部４８に記憶されても良い。記憶部４８からそのデータが読み出されて、可動部７０（高さ変更部７０ｄ）が端座位高さに調整される。このように、制御部４２は、使用者の状態が端座位であるときに、高さ変更部７０ｄの高さを端座位高さに調整しても良い。
【００７１】
図４（ｂ）に示すように、検出部６０により検出された使用者の状態が入眠である場合、まず、背ボトム７０ａを傾斜させる。この後、検出部６０により検出された使用者の状態が睡眠となった場合に、背ボトム７０ａの傾斜を小さくして水平に近づける。使用者の状態が入眠であるときに形成される背ボトム７０ａの角度（水平方向からの角度）は、例えば、４度以上２４度未満である。このような角度において、覚醒状態から睡眠状態に移行し易い。すなわち、入眠が円滑に行われ、睡眠状態に速やかに移行できる。これにより、使用者において、快適で自然な入眠及び睡眠が誘起される。
【００７２】
このように、制御部４２は、検出部６０で検出された使用者の状態が入眠であるときに背ボトム７０ａを傾斜させる。制御部４２は、検出部６０で検出された使用者の状態が入眠の後の睡眠であるときに、背ボトム７０ａを水平に向かって変化させる。上記の背ボトムの傾斜の角度は、例えば、４度以上２４度未満であることが好ましい。そして、制御部４２は、使用者の状態が入眠の後の睡眠であるときに、背ボトム７０ａの角度を４度未満にするこることか好ましい。これにより、良好な睡眠姿勢が得られる。
【００７３】
図４（ｃ）に示す例では、背ボトム７０ａの角度が大きく、膝ボトム７０ｂ及び脚ボトム７０ｃの角度は中程度であり、ベッド面は高い。例えば、使用者の状態が起き上がりであるときに、このような姿勢が形成される。例えば、テレビジョンなどをみるときなどに、このような姿勢が好まれる。制御部４２は、検出部６０で検出された使用者の状態が起き上がりのときに、背ボトム７０ａの角度を大きくする。制御部４２は、さらに、膝ボトム７０ｂ、脚ボトム７０ｃ及び高さ変更部７０ｄを動作させても良い。
【００７４】
図４（ｃ）に例示した姿勢は、電動家具３１０で形成される姿勢の１つである。このような１つの姿勢が長時間連続すると、体に負担が生じる場合がある。例えば、「床ずれ」などの症状が生じる。このようなときに、制御部４２は、姿勢を適宜変更しても良い。
【００７５】
例えば、図４（ｄ）に示す例では、背ボトム７０ａ、膝ボトム７０ｂ及び脚ボトム７０ｃの角度は中程度であり、ベッド面は高い。例えば、図４（ｃ）に示すような姿勢が一定以上続き、この期間、使用者の身体の状態が余り変化しない場合、図４（ｄ）に示すような姿勢に移行しても良い。そして、図４（ｄ）の姿勢の後に、再度、図４（ｃ）に示すような姿勢が形成されても良い。
【００７６】
実施形態において、例えば、可動部７０が自動で動くときの可動部７０の速度は、可動部７０が手動で動くときの可動部７０の速度とは異なっても良い。例えば、可動部７０が自動で動くときの可動部７０の速度は、可動部７０が手動で動くときの可動部７０の速度よりも遅くても良い。例えば、自動で姿勢が変化する場合に、その変化の速度が速いと、危険な状態が生じる可能性がある。例えば、姿勢の変化が過度に速い場合、電動家具３１０のフレーム（サイドレールまたはグリップなどを含む）などの間に使用者の体が挟まれる状態が生じる可能性がある。さらに、姿勢の変化が過度に速い場合、使用者が驚く。可動部７０が自動で動くときの可動部７０の速度を遅くすることで、より安全になり、使用者に安心を提供である。
【００７７】
例えば、上記のように、操作受付部（第１操作受付部２０など）を含む制御装置１６０が、電動家具３１０に設けられる。既に説明したように、可動部７０は、操作受付部（第１操作受付部２０）が受け付けた制御操作に応じて動く。このとき、例えば、検出部６０により検出された使用者の状態に基づいて可動部７０が動くときの速度は、操作受付部が受け付けた制御操作に応じて可動部７０が動くときの速度とは異なる。これらの速度の少なくとも一方が、変更可能（設定可能）でも良い。このような速度の変更の制御は、例えば、制御部４２により行われる。
【００７８】
例えば、検出部６０により検出された使用者の状態は、ベッド（電動家具３１０）の上に人（例えば使用者など）がいない場合を含んでも良い。ベッドの上に人（例えば使用者など）がいない場合に可動部７０が動くときの速度は、操作受付部が受け付けた制御操作に応じて可動部７０が動くときの速度とは異なっても良い。ベッドの上に人（例えば使用者など）がいない場合に可動部７０が動くときの速度は、操作受付部が受け付けた制御操作に応じて可動部７０が動くときの速度よりも速くても良い。
【００７９】
上記のように、実施形態においては、検出部６０により検出された使用者の状態に基づいて、可動部７０が自動的に（手動ではなく）動く。このとき、自動で動く可動部７０などに使用者が挟まれると危険である。このため、例えば、以下のような安全を確保する手段が設けられても良い。
【００８０】
図５は、第１実施形態に係る電動家具を例示する模式的斜視図である。  
図５に示すように、電動家具３１０は、床部検知器６５を含む。床部検知器６５は、可動部７０と、床（電動家具３１０が設置されている床）と、の間の空間に存在する物体を検知する。床部検知器６５には、例えば、赤外線センサまたは超音波センサなどが用いられる。
【００８１】
例えば、電動家具３１０のベッド面の下に、使用者または介護者などの身体（足など）がある場合、その身体が、床部検知器６５により検知される。床部検知器６５の出力信号が制御部４２（図５では省略）に供給される。
【００８２】
床部検知器６５が可動部７０と床との間の空間に存在する物体（身体など）を検知したときは、制御部４２は、上記の「可動部制御」を実施しない。既に説明したように、「可動部制御」は、検出部６０により検出された使用者の状態に基づいて可動部７０が動かされる制御である。物体（身体など）が検知されたときは、例えば、可動部７０が動かない。または、上記の「可動部制御」とは異なる制御が行われる。例えば、可動部７０の動きの幅（距離）が、上記の「可動部制御」のときの動きの幅（距離）よりも小さい。これにより、不安全に可動部７０が動くことが抑制できる。
【００８３】
図６は、第１実施形態に係る電動家具を例示する模式的斜視図である。  
図６に示すように、電動家具３１０には、フレーム７５（サイドレールまたはグリップなどを含む）が設けられている。フレーム７５が設けられることで、電動家具３１０（この例では電動ベッド）に寝ている使用者が電動ベッドから落ちることが抑制できる。
【００８４】
電動家具３１０は、フレーム部検知器６６を含む。フレーム部検知器６６は、フレーム７５と可動部７０との間の空間に存在する物体を検知する。この物体は、例えば、使用者または介護者の身体を含む。フレーム部検知器６６には、例えば、赤外線センサまたは超音波センサなどが用いられる。フレーム部検知器６６は、アクチュエータ（可動部７０）が受ける過負荷を検知しても良い。例えば、フレーム７５などに物体が挟まったときに、アクチュエータに加わる負荷が過度に大きくなる場合がある。過負荷を検知することで、物体が挟まれることを検知できる。フレーム部検知器６６の出力信号が制御部４２（図６では省略）に供給される。
【００８５】
フレーム部検知器６６がフレーム７５と可動部７０との間の空間に存在する物体を検知したときは、制御部４２は、上記の「可動部制御」を実施しない。物体（身体など）が検知されたときは、例えば、可動部７０が動かない。または、上記の「可動部制御」とは異なる制御が行われる。例えば、可動部７０の動きの幅（距離）が、上記の「可動部制御」のときの動きの幅（距離）よりも小さい。これにより、不安全に可動部７０が動くことが抑制できる。
【００８６】
例えば、床部検知器６５、または、フレーム部検知器６６が物体（身体など）を検知したときに、警報（音、振動、または、表示など）が発生されても良い。これにより、可動部７０が動かない原因が特定でき、使用者または介護者などがその原因を除去できる。
【００８７】
（第２実施形態）  
図７は、第２実施形態に係る電動家具を例示する模式的斜視図である。  
図７に示すように、本実施形態に係る電動家具３２０も、可動部７０、検出部６０及び制御部４２を含む。この例においても、検出部６０は、使用者の状態を検出する。制御部４２は、検出部６０により検出された使用者の状態に基づいて可動部７０を動かす可動部制御が可能である。本実施形態においては、検出部６０として、身体検知器６３が設けられる。身体検知器６３は、使用者の身体の位置を検出できる。身体検知器６３として、例えば、画像センサ（例えばカメラ）などを用いることができる。画像センサは、使用者、電動家具３２０、及び、その周囲の画像を取得する。この画像に基づいて、使用者の身体の位置と、電動家具３２０の位置と、の相対的な関係を検知できる。身体検知器６３の検知結果（出力信号）が制御部４２に供給される。
【００８８】
身体検知器６３が、身体の少なくとも一部が電動家具３２０と重なることを検知したときは、上記の「可動部制御」を実施しない。例えば、可動部７０が動かない。または、上記の「可動部制御」とは異なる制御が行われる。例えば、身体の少なくとも一部が電動家具３２０と重なることを検知したときの可動部７０の動きの幅（距離）は、上記の「可動部制御」のときの動きの幅（距離）よりも小さい。これにより、不安全に可動部７０が動くことが抑制できる。
【００８９】
例えば、身体検知器６３が身体と電動家具３２０との重なりを検知したときに、警報（音、振動、または、表示など）が発生されても良い。これにより、可動部７０が動かない原因が特定でき、使用者または介護者などがその原因を除去できる。
【００９０】
身体検知器６３（画像センサ）の検知結果に基づいて、使用者の状態を判断（推定）することもできる。この場合は、身体検知器６３は、検出部６０の少なくとも一部となる。
【００９１】
図７には、検出部６０の他の例も示されている。  
図７に示すように、電動家具３２０にシート型の離床センサ６１が設けられても良い。例えば、電動家具３２０（この例では電動ベッド）の使用者が、電動ベッドから起き上がり離床センサ６１の上に乗ると、使用者の体重が離床センサ６１に加わる。離床センサ６１は、体重による荷重を検出する。これにより、離床センサ６１は、離床を検出できる。
【００９２】
電動家具３２０において、電動ベッドにセンサ６２が設けられても良い。センサ６２が荷重（圧力）を検出可能である場合、電動ベッドの複数の箇所のそれぞれにセンサ６２が設けられても良い。電動ベッドの使用者の体重（荷重）が、センサ６２により検出される。これにより、センサ６２は、使用者の種々の状態を検出（推定）できる。
【００９３】
センサ６２は、使用者の脈拍、呼吸及び体温の少なくともいずれかを検出可能でも良い。これらの値及びその変化により、使用者の状態を検出（推定）できる。
【００９４】
離床センサ６１、センサ６２及び身体検知器６３（画像センサ）は、検出部６０の例である。検出部６０は、種々の変形が可能である。
【００９５】
以下、センサ６２のいくつかの例について説明する。
【００９６】
図８（ａ）及び図８（ｂ）は、第２実施形態に係る電動家具を例示する模式図である。  図８（ａ）は、センサ６２、及び、センサ６２の配置を例示する模式的斜視図である。図８（ｂ）は、センサ６２を例示する模式的平面図である。図８（ａ）においては、図を見やすくするために、構成要素が互いに離されて描かれている。
【００９７】
図８（ａ）に示すように、ベッド７０のベッド脚部７４の上に、ボトム７１が設けられる。ボトム７１の上に、マットレス７６が設けられる。マットレス７６の上に、使用者８１が横たわる。センサ６２（検出部６０）は、ボトム７１とマットレス７６との間に設けられる。この例では、センサ６２は、シート状またはプレート状である。
【００９８】
図８（ｂ）に示すように、センサ６２は、回路部６２ａ及びセンサ部６２ｂを含む。回路部６２ａは、通信部６２ｃを含む。通信部６２ｃは、制御部４２とデータの送受信を行う。送受信は、有線及び無線の少なくともいずれかを含む任意の方法により行われる。
【００９９】
センサ部６２ｂは、例えば、センサ装置６２ｄを含む。センサ部６２ｂは、センサ部６２ｂが受ける力（または力に対応した特性）を検出する。力は、例えば、圧力及び音波の少なくともいずれかを含む。センサ部６２ｂは、例えば、圧力センサを含む。センサ部６２ｂは、例えば、マイクロフォンを含む。
【０１００】
センサ部６２ｂに、マットレス７６を介して、使用者８１による力（圧力及び音波の少なくともいずれか）が加わる。例えば、センサ部６２ｂで検出された力に基づく信号が、回路部６２ａから出力される。出力された信号が制御部４２に供給される。制御部４２において、信号（力）の大きさ及び信号（力）の大きさの時間的な変化の少なくともいずれかに基づいて、使用者８１の状態（離床、睡眠、または覚醒など）が推定される。または、回路部６２ａにおいて、センサ部６２ｂで検出された力及び力の時間的な変化の少なくともいずれかに基づいて、使用者８１の状態（離床、睡眠、または覚醒など）が推定されても良い。使用者８１の状態は、起き上がり、端座位（例えば離床準備状態）、離床、入眠、睡眠、または覚醒を含んでも良い。
【０１０１】
例えば、使用者８１の状態に応じた振動が、センサ部６２ｂに加わる。振動は、例えば、使用者８１の体動に応じている。振動がセンサ部６２ｂにおいて検出される。振動は、音を含んでも良い。
【０１０２】
例えば、振動検出手段（センサ部６２ｂ）と、処理部（回路部６２ａ及び制御部４２の少なくともいずれかの少なくとも一部）と、が設けられる。処理部は、例えば、コンピュータを含む。振動検出手段は、例えば、寝具（ベッド７０）上の就寝者（使用者８１）の振動を検出する。処理部は、例えば、活動量算出手段と、睡眠判定値算出手段と、睡眠状態判定手段と、を含む。これらの手段は、機能的に分けられている。活動量算出手段は、例えば、振動検出手段により検出された振動に基づいて、就寝者の活動量をサンプリング単位時間毎に算出する。睡眠判定値算出手段は、例えば、第１時刻（例えば、現在の時刻）の活動量と、第２時刻（例えば現在の時刻以前の時刻）に算出した活動量と、に、時間に応じて重み付けした補正係数を乗じた値の総和を睡眠判定値として算出する。睡眠状態判定手段は、例えば、睡眠判定値が所定の閾値を超えた場合には覚醒状態と判定し、それ以外の場合には睡眠状態と判定する。
【０１０３】
図９（ａ）〜図９（ｄ）は、第２実施形態に係る別の電動家具を例示する模式図である。  
図９（ａ）は、センサ６２の例の断面図である。図９（ｂ）は、センサ６２の例の平面図である。図９（ｃ）は、センサ６２の配置を例示する斜視図である。図９（ｄ）は、センサ６２の配置を例示する側面図である。
【０１０４】
図９（ａ）に示すように、この例においては、センサ６２は、第１板体６２ｐと、第２板体６２ｑと、を含む。第２板体６２ｑは、第１板体６２ｐと対向する。これらの板体は、シート状でも良い。
【０１０５】
第２板体６２ｑは、支持突起６２ｓを含む。支持突起６２ｓは、第１板体６２ｐの外縁部に対向する。第１板体６２ｐは、外縁部の内側の内側部を含む。内側部と、第２板体６２ｑと、の間に、空気収容体６２ｒが設けられる。この例では、第２板体６２ｑに溝６２ｔが設けられている。溝６２ｔにより形成される空間（分けられる空間）に空気収容体６２ｒが設けられる。空気収容体６２ｒには、信号線６２ｕの一端が接続される。信号線６２ｕの他端は、検出回路６２ｖ（検出装置）に接続される。
【０１０６】
図９（ｂ）に示すように、支持突起６２ｓは、第１板体６２ｐの外縁の一部と対向する。この例では、支持突起６２ｓは、第１板体６２ｐの、４つのコーナー部に設けられている。センサ６２は、シート状、または、板状である。
【０１０７】
図９（ｃ）に示すように、ボトム７１の上に、上記のセンサ６２が置かれる。図９（ｄ）に示すように、ボトム７１の上に、センサ６２が置かれ、その上に、マットレス７６が置かれる。マットレス７６の上に、使用者８１が横たわる。
【０１０８】
例えば、使用者８１の体の動きに応じた力が空気収容体６２ｒに加わる。この力は、例えば、振動を含む。空気収容体６２ｒに加わる力（または力に対応した特性）が検出回路６２ｖにより検出される。例えば、空気収容体６２ｒに、圧力検出器が設けられ、圧力検出器により得られた信号（検出結果）が、検出回路６２ｖに供給される。例えば、空気収容体６２ｒに、マイクロフォンが設けられ、マイクロフォンにより得られた信号（検出結果）が、検出回路６２ｖに供給される。例えば、検出回路６２ｖの出力（信号）が制御部４２に供給される。制御部４２において、使用者８１の状態（離床、睡眠、または覚醒など）が推定される。または、検出回路６２ｖにおいて、検出された力及び力の時間的な変化の少なくともいずれかに基づいて、使用者８１の状態（離床、睡眠、または覚醒など）が推定されても良い。使用者８１の状態は、起き上がり、端座位（例えば離床準備状態）、離床、入眠、睡眠、または覚醒を含んでも良い。
【０１０９】
センサ６２は、例えば、生体情報収集装置である。センサ６２において、第１板体６２ｐは、例えば、使用者８１の身体側に配置される。第２板体６２ｑは、例えば、支持側に設けられる。第１板体６２ｐと第２板体６２ｑとの中央部間に、空気圧検出用の変形可能な空気収容体６２ｒが設けられる。第２板体６２ｑの中央部には、空気収容体６２ｒを装着する溝６２ｔが設けられる。支持突起６２ｓは、第２板体６２ｑから第１板体６２ｐに向かう方向に、突出する。支持突起６２ｓは、第１板体６２ｐの周囲の四隅を支持する。支持突起６２ｓは、例えば、第１板体６２ｐを水平な状態（正常状態）に常時支持する。
【０１１０】
実施形態において、センサ６２は、種々の変形が可能である。
【０１１１】
実施形態において、制御部４２は、検出部６０により検出された使用者８１の状態に基づいて、被制御部７０Ｃとして、照明部７３ａ及び温度制御部７３ｂの少なくともいずれか（図１（ａ）参照）を制御しても良い。例えば、センサ６２により検出された使用者８１の状態（起き上がり、端座位（例えば離床準備状態）、離床、入眠、睡眠、及び覚醒の少なくともいずれか）に基づいて、照明部７３ａの明るさを変更（例えば、オン／オフを含む）しても良い。例えば、センサ６２により検出された使用者８１の状態に基づいて、照明部７３ａから出射される光の方向を変更しても良い。照明部７３ａは、例えば、読書灯及び脚下灯の少なくともいずれかを含む。例えば、センサ６２により検出された使用者８１の状態に基づいて、温度制御部７３ｂの温度を変更（例えば、オン／オフを含む）しても良い。使い易さを向上できる電動家具を提供できる。
【０１１２】
（第３実施形態）
図１０は、第３実施形態に係る電動家具を例示する模式的斜視図である。  
図１０に示すように、電動家具３３０は、電動椅子である。電動家具３３０は、可動部７０を含む。可動部７０は、例えば、背もたれ部７０ｅ及び座面部７０ｆを含む。背もたれ部７０ｅは、角度が変更可能なボトム部に対応する。座面部７０ｆは、高さ変更部に対応する。座面部７０ｆの角度が変更可能でも良い。実施形態に係る制御装置１６０により、これらの可動部７０が制御される。電動家具３３０においても、使用者の状態に対応して、可動部７０が動く。
【０１１３】
実施形態によれば、使い易さを向上できる電動家具が提供できる。
【０１１４】
以上、具体例を参照しつつ、本発明の実施の形態について説明した。しかし、本発明は、これらの具体例に限定されるものではない。例えば、電動家具に含まれる第１操作受付部、操作ボタン、第２操作受付部、メモリーボタン、スイッチ、表示領域、検出部、可動部、駆動部、制御部及び記憶部などの各要素の具体的な構成に関しては、当業者が公知の範囲から適宜選択することにより本発明を同様に実施し、同様の効果を得ることができる限り、本発明の範囲に包含される。
【０１１５】
各具体例のいずれか２つ以上の要素を技術的に可能な範囲で組み合わせたものも、本発明の要旨を包含する限り本発明の範囲に含まれる。
【０１１６】
その他、本発明の実施形態として上述した電動家具を基にして、当業者が適宜設計変更して実施し得る全ての電動家具も、本発明の要旨を包含する限り、本発明の範囲に属する。
【０１１７】
その他、本発明の思想の範疇において、当業者であれば、各種の変更例及び修正例に想到し得るものであり、それら変更例及び修正例についても本発明の範囲に属するものと了解される。
【符号の説明】
【０１１８】
１０…操作部、  １０ａ、１０ｂ…第１、第２面、  １５…ケーブル、  ２０…第１操作受付部、  ２１ａ、２１ｂ、２２ａ、２２ｂ、２３ａ、２３ｂ、２４ａ、２４ｂ…ボタン、  ２５…第２操作受付部、  ２５ａ、２５ｂ…ボタン、  ２８…表示領域、  ４２…制御部、  ４８…記憶部、  ５０…スイッチ、  ６０…検出部、  ６１…離床センサ、  ６２…センサ、  ６２ａ…回路部、  ６２ｂ…センサ部、  ６２ｃ…通信部、  ６２ｄ…センサ装置、  ６２ｐ…第１板体、  ６２ｑ…第２板体、  ６２ｒ…空気収容体、  ６２ｓ…支持突起、  ６２ｔ…溝、  ６２ｕ…信号線、  ６２ｖ…検出回路、  ６３…身体検知部、  ６５…床部検知部、  ６６…フレーム部検知部、  ７０…可動部、  ７０Ｃ…被制御部、  ７０ａ…背ボトム、  ７０ｂ…膝ボトム、  ７０ｃ…脚ボトム、  ７０ｄ…高さ変更部、  ７０ｅ…背もたれ部、  ７０ｆ…座面部、  ７０ｈ…頭ボトム、  ７１…ボトム、  ７２…駆動部、  ７３ａ…照明部、  ７３ｂ…温度制御部、  ７４…ベッド脚部、  ７５…フレーム、  ７６…マットレス、  ８１…使用者、  １６０…制御装置、  ３１０、３２０、３３０…電動家具、  Ｈ１…高さ
【図１】
2018187022.tif 000003
【図２】
2018187022.tif 000004
【図３】
2018187022.tif 000005
【図４】
2018187022.tif 000006
【図５】
2018187022.tif 000007
【図６】
2018187022.tif 000008
【図７】
2018187022.tif 000009
【図８】
2018187022.tif 000010
【図９】
2018187022.tif 000011
【図１０】
2018187022.tif 000012